(57)【要約】【課題】本発明は、被照射体の照射部位を装置本体に挿入し、非照射部位が挿入口に跨って装置本体の外部に出ている状態で照射部位に光を照射する場合であっても、挿入口から装置本体の外部に漏れ出る光を抑制することができる遮光幕及び光照射装置を得る。【解決手段】本発明の遮光幕１６は、挿入口８を閉塞するように設けられる遮光幕本体２１を備え、該遮光幕本体２１は、照射部位Ａが挿入口８から装置本体７の内部に挿入されることを許容する挿入部２３と、照射部位Ａが装置本体７の内部に挿入されて照射される光を装置本体７の外部に漏れないように遮る遮光部２４と、を備え、遮光部２４は、複数に分割されており、挿入部２３から挿入される非照射部位Ｂの上部Ｂ１に接触する第１の遮光部２５と、当該非照射部位Ｂの側部Ｂ２に接触する第２の遮光部２６と、を有するという構成を有している。【選択図】図３
2013034752.tif 000002
【特許請求の範囲】
【請求項１】
光源と、被照射体の照射部位に該光源からの光を案内して照射する光照射部と、光源と光照射部とを内部に収納するとともに照射部位が内部に挿入される装置本体と、該装置本体の内部に照射部位を挿入可能な挿入口と、を備える光照射装置から照射される光を挿入口から装置本体の外部に漏れないように遮光する遮光幕であって、挿入口を閉塞するように設けられる遮光幕本体を備え、該遮光幕本体は、照射部位が挿入口から装置本体の内部に挿入されることを許容する挿入部と、照射部位が挿入部を介して装置本体の内部に挿入されて照射される光を装置本体の外部に漏れないように遮る遮光部と、を備え、遮光部は、複数に分割されており、照射部位が挿入部から装置本体の内部に挿入されたときに挿入部に位置する被照射体の非照射部位の上部に接触する第１の遮光部と、当該非照射部位の側部に接触する第２の遮光部と、を有することを特徴とする遮光幕。
【請求項２】
挿入口は、鉛直方向に所定の長さを有するとともに水平方向に所定の長さを有し、第２の遮光部は、第１の遮光部及び第２の遮光部を分割可能にすべく、遮光幕本体の鉛直方向の中途部から遮光幕本体の鉛直方向の下端に達するように切り込みが形成されることにより、遮光幕本体の鉛直方向の中途部から下方に向かうにつれて第１の遮光部の水平方向における中心部から離れるように形成される第１の縁部を備える請求項１に記載の遮光幕。
【請求項３】
第２の遮光部は、前記切り込みが形成されることにより、遮光幕本体の鉛直方向の下端から第１の縁部の遮光幕本体の鉛直方向の端部に繋がるように形成されるとともに、遮光幕本体の鉛直方向の中途部から下方に向かうにつれて第１の遮光部の水平方向における中心部に近づくように形成される第２の縁部を備える請求項２に記載の遮光幕。
【請求項４】
遮光部は、遮光幕本体の水平方向に第２の遮光部と隣接するようにして配設される第３の遮光部を有する請求項１〜請求項３のいずれか１項に記載の遮光幕。
【請求項５】
挿入口は、鉛直方向に所定の長さを有するとともに水平方向に所定の長さを有し、第２の遮光部は、第１の遮光部及び第２の遮光部を分割可能にすべく、遮光幕本体の鉛直方向の中途部から遮光幕本体の鉛直方向の下端に達するように第１の切り込みが形成されることにより、遮光幕本体の鉛直方向の中途部から下方に向かうにつれて第１の遮光部の水平方向における中心部から離れるように形成される第１の縁部と、遮光幕本体の鉛直方向の下端から第１の縁部の遮光幕本体の鉛直方向の端部に繋がるように形成されるとともに、遮光幕本体の鉛直方向の中途部から下方に向かうにつれて第１の遮光部の水平方向における中心部に近づくように形成される第２の縁部と、を備え、且つ、第２の遮光部が遮光幕本体の水平方向において所定の幅を有するように、第１の遮光部から所定距離の位置に、遮光幕本体の鉛直方向の中途部から遮光幕本体の鉛直方向の下端に達するように第２の切り込みが形成されることにより、遮光幕本体の鉛直方向の中途部から下方に向かうにつれて第１の遮光部の水平方向における中心部から離れるように形成される第３の縁部と、遮光幕本体の鉛直方向の下端から第１の縁部の遮光幕本体の鉛直方向の端部に繋がるように形成されるとともに、遮光幕本体の鉛直方向の中途部から下方に向かうにつれて第１の遮光部の水平方向における中心部に近づくように形成される第４の縁部と、を備え、第１の縁部と第２の縁部との長さの和と、第３の縁部と第４の縁部との長さの和と、が異なるように形成される請求項１に記載の遮光幕。
【請求項６】
遮光部は、遮光幕本体の水平方向に第２の遮光部と隣接するようにして配設される第３の遮光部を有し、挿入口は、鉛直方向に所定の長さを有するとともに水平方向に所定の長さを有し、遮光幕本体は、第１の遮光部及び第２の遮光部を分割可能にすべく、遮光幕本体の鉛直方向の中途部から遮光幕本体の鉛直方向の下端に達するように形成される第１の切り込みと、第２の遮光部を遮光幕本体の水平方向において所定の幅を有するように、第１の遮光部から所定距離の位置に、遮光幕本体の鉛直方向の中途部から遮光幕本体の鉛直方向の下端に達するように形成される第２の切り込みと、第３の遮光部を遮光幕本体の水平方向において所定の幅を有するように、第２の遮光部から所定距離の位置に、遮光幕本体の鉛直方向の中途部から遮光幕本体の鉛直方向の下端に達するように形成される第３の切り込みと、を備え、第２の遮光部の水平方向における幅と、第３の遮光部の水平方向における幅と、が異なる請求項１に記載の遮光幕。
【請求項７】
遮光幕本体は、水平方向における遮光幕本体の端部から水平方向における遮光幕本体の中心部に向かうにつれて、鉛直方向における遮光幕本体の長さが短くなるように形成される請求項２又は請求項３に記載の遮光幕。
【請求項８】
光源と、被照射体の照射部位に該光源からの光を案内して照射する光照射部と、光源と光照射部とを内部に収納するとともに照射部位が内部に挿入される装置本体と、該装置本体の内部に照射部位を挿入可能な挿入口と、前記請求項１〜請求項７のいずれか１項に記載の遮光幕と、を備えることを特徴とする光照射装置。
【発明の詳細な説明】
【技術分野】
【０００１】
本発明は、光照射治療・予防装置などの光照射装置の挿入口に設けられる遮光幕及び該遮光幕を備えた光照射装置に関する。
【背景技術】
【０００２】
従来から、光照射装置は、光を照射して疾患の罹患を予防し又は罹患時の当該疾患の症状を軽減する光照射治療・予防装置などとして利用されている。光照射装置は、使用者の手先部位（手のひらや手の甲など）などの被照射体の照射部位に光を放射する光源と、照射部位に該光源からの光を案内して照射する光照射部と、光源と光照射部とを内部に収納するとともに照射部位が内部に挿入される装置本体と、該装置本体の内部に照射部位を挿入可能な挿入口と、を備えている（特許文献１又は２参照）。
【先行技術文献】
【特許文献】
【０００３】
【特許文献１】実用新案登録第３１５１６９８号公報
【特許文献２】登録実用新案第３０４３１６６号公報
【発明の概要】
【発明が解決しようとする課題】
【０００４】
しかし、この光照射装置は、照射部位のみに光を照射する。つまり、被照射体は、照射部位を装置本体に挿入し、照射部位が挿入口から装置本体の内部に挿入されているときに挿入口に位置する被照射体の非照射部位が挿入口に跨って装置本体の外部に出ている状態で当該照射部位への光の照射を受ける。挿入口は、非照射部位の形状に合わせて構成されていない。特に、非照射部位の形状は、その光照射装置を使用する被照射体によって異なる。よって、挿入口と非照射部位との間には、隙間が形成される。光照射部の内部で照射部位に向けて照射された光の一部は、当該照射部位から反射して、この隙間から装置本体の外部に漏れ出ることがある。この光は、使用者の目をくらまし、時に不快感をも与えてしまうことがある。
【０００５】
従って、本発明は、かかる事情に鑑み、被照射体の照射部位を装置本体に挿入し、被照射体の非照射部位が挿入口に跨って装置本体の外部に出ている状態で当該照射部位に光を照射する場合であっても、挿入口から装置本体の外部に漏れ出る光を抑制することができる遮光幕及び光照射装置を提供することを目的とする。
【課題を解決するための手段】
【０００６】
本発明の遮光幕は、光源と、被照射体の照射部位に該光源からの光を案内して照射する光照射部と、光源と光照射部とを内部に収納するとともに照射部位が内部に挿入される装置本体と、該装置本体の内部に照射部位を挿入可能な挿入口と、を備える光照射装置から照射される光を挿入口から装置本体の外部に漏れないように遮光する遮光幕であって、挿入口を閉塞するように設けられる遮光幕本体を備え、該遮光幕本体は、照射部位が挿入口から装置本体の内部に挿入されることを許容する挿入部と、照射部位が挿入部を介して装置本体の内部に挿入されて照射される光を装置本体の外部に漏れないように遮る遮光部と、を備え、遮光部は、複数に分割されており、照射部位が挿入部から装置本体の内部に挿入されたときに挿入部に位置する被照射体の非照射部位の上部に接触する第１の遮光部と、当該非照射部位の側部に接触する第２の遮光部と、を有するという構成を有している。
【０００７】
かかる構成によれば、挿入口から装置本体の内部に照射部位が挿入されるとき、照射部位は、遮光幕本体の挿入部から装置本体の内部に挿入される。そして、挿入口では、非照射部位が遮光幕本体の挿入部に跨った状態にある。遮光幕本体の挿入部と非照射部位の上部との間は、第１の遮光部が非照射部位の上部と接触することにより塞がれている。遮光幕本体の挿入部と非照射部位の側部との間は、第２の遮光部が非照射部位の側部と接触することにより塞がれている。すなわち、挿入口は、非照射部位と遮光幕とによって塞がれており、装置本体の内部で照射された光が装置本体の外部に漏れ出るのを抑制することができる。
【０００８】
また、請求項２記載の発明において、挿入口は、鉛直方向に所定の長さを有するとともに水平方向に所定の長さを有し、第２の遮光部は、第１の遮光部及び第２の遮光部を分割可能にすべく、遮光幕本体の鉛直方向の中途部から遮光幕本体の鉛直方向の下端に達するように切り込みが形成されることにより、遮光幕本体の鉛直方向の中途部から下方に向かうにつれて第１の遮光部の水平方向における中心部から離れるように形成される第１の縁部を備えることが好ましい。
【０００９】
かかる構成によれば、遮光幕は、第２の遮光部の第１の縁部が非照射部位の上面と側面との間の形状に沿って接触することにより、挿入口と非照射部位の上面及び側面との間に形成される隙間もより確実に塞ぐことができる。
【００１０】
また、請求項３記載の発明において、第２の遮光部は、前記切り込みが形成されることにより、遮光幕本体の鉛直方向の下端から第１の縁部の遮光幕本体の鉛直方向の端部に繋がるように形成されるとともに、遮光幕本体の鉛直方向の中途部から下方に向かうにつれて第１の遮光部の水平方向における中心部に近づくように形成される第２の縁部を備えることが好ましい。
【００１１】
かかる構成によれば、遮光幕は、第２の遮光部の第２の縁部が非照射部位の下面と側面との間の形状に沿って接触することにより、挿入口と非照射部位の下面及び側面との間に形成される隙間もより確実に塞ぐことができる。
【００１２】
また、請求項４記載の発明において、遮光部は、遮光幕本体の水平方向に第２の遮光部と隣接するようにして配設される第３の遮光部を有することが好ましい。
【００１３】
かかる構成によれば、遮光幕は、遮光幕本体の水平方向における被照射体の非照射部位の長さに応じて、第２の遮光部及び第３の遮光部のいずれか一方を非照射部位の側部に接触させることができる。すなわち、遮光幕は、遮光幕本体の水平方向における被照射体の非照射部位の長さに関係なく、挿入口と非照射部位との隙間を塞ぐことができる。
【００１４】
また、請求項５記載の発明において、挿入口は、鉛直方向に所定の長さを有するとともに水平方向に所定の長さを有し、第２の遮光部は、第１の遮光部及び第２の遮光部を分割可能にすべく、遮光幕本体の鉛直方向の中途部から遮光幕本体の鉛直方向の下端に達するように第１の切り込みが形成されることにより、遮光幕本体の鉛直方向の中途部から下方に向かうにつれて第１の遮光部の水平方向における中心部から離れるように形成される第１の縁部と、遮光幕本体の鉛直方向の下端から第１の縁部の遮光幕本体の鉛直方向の端部に繋がるように形成されるとともに、遮光幕本体の鉛直方向の中途部から下方に向かうにつれて第１の遮光部の水平方向における中心部に近づくように形成される第２の縁部と、を備え、且つ、第２の遮光部が遮光幕本体の水平方向において所定の幅を有するように、第１の遮光部から所定距離の位置に、遮光幕本体の鉛直方向の中途部から遮光幕本体の鉛直方向の下端に達するように第２の切り込みが形成されることにより、遮光幕本体の鉛直方向の中途部から下方に向かうにつれて第１の遮光部の水平方向における中心部から離れるように形成される第３の縁部と、遮光幕本体の鉛直方向の下端から第１の縁部の遮光幕本体の鉛直方向の端部に繋がるように形成されるとともに、遮光幕本体の鉛直方向の中途部から下方に向かうにつれて第１の遮光部の水平方向における中心部に近づくように形成される第４の縁部と、を備え、第１の縁部と第２の縁部との長さの和と、第３の縁部と第４の縁部との長さの和と、が異なるように形成されることが好ましい。
【００１５】
かかる構成によれば、遮光幕は、遮光幕本体の鉛直方向における被照射体の非照射部位の長さに応じて、「第１の縁部及び第２の縁部」、又は、「第３の縁部と第４の縁部」を非照射部位の側部に接触させることができる。すなわち、遮光幕は、遮光幕本体の鉛直方向における被照射体の非照射部位の長さに関係なく、挿入口と非照射部位との隙間を塞ぐことができる。
【００１６】
また、請求項６記載の発明において、遮光部は、遮光幕本体の水平方向に第２の遮光部と隣接するようにして配設される第３の遮光部を有し、挿入口は、鉛直方向に所定の長さを有するとともに水平方向に所定の長さを有し、遮光幕本体は、第１の遮光部及び第２の遮光部を分割可能にすべく、遮光幕本体の鉛直方向の中途部から遮光幕本体の鉛直方向の下端に達するように形成される第１の切り込みと、第２の遮光部を遮光幕本体の水平方向において所定の幅を有するように、第１の遮光部から所定距離の位置に、遮光幕本体の鉛直方向の中途部から遮光幕本体の鉛直方向の下端に達するように形成される第２の切り込みと、第３の遮光部を遮光幕本体の水平方向において所定の幅を有するように、第２の遮光部から所定距離の位置に、遮光幕本体の鉛直方向の中途部から遮光幕本体の鉛直方向の下端に達するように形成される第３の切り込みと、を備え、第２の遮光部の水平方向における幅と、第３の遮光部の水平方向における幅と、が異なることが好ましい。
【００１７】
かかる構成によれば、遮光幕は、遮光幕本体の水平方向における被照射体の非照射部位の長さに応じて、第２の遮光部及び第３の遮光部のいずれか一方を非照射部位の側部に接触させることができる。すなわち、遮光幕は、遮光幕本体の水平方向における被照射体の非照射部位の長さに関係なく、挿入口と非照射部位との隙間を塞ぐことができる。
【００１８】
また、請求項７記載の発明において、遮光幕本体は、水平方向における遮光幕本体の端部から水平方向における遮光幕本体の中心に向かうにつれて、鉛直方向における遮光幕本体の長さが短くなるように形成されることが好ましい。
【００１９】
かかる構成によれば、遮光幕は、第１の遮光部が装置本体の内部に巻き込まれることにより装置本体の外側から内側に向かって被照射体の非照射部位の上面と接触する長さを短くすることができる。よって、第１の遮光部は、装置本体の内部に巻き込まれて、照射部位を覆い、照射部位に照射される光を遮りにくくすることができる。
【００２０】
本発明の光照射装置は、光源と、被照射体の照射部位に該光源からの光を案内して照射する光照射部と、光源と光照射部とを内部に収納するとともに照射部位が内部に挿入される装置本体と、該装置本体の内部に照射部位を挿入可能な挿入口と、前記請求項１〜請求項７のいずれか１項に記載の遮光幕と、を備えるという構成を有している。
【発明の効果】
【００２１】
本発明の遮光幕及び光照射装置は、被照射体の照射部位を装置本体に挿入し、被照射体の非照射部位が挿入口に跨って装置本体の外部に出ている状態で当該照射部位に光を照射する場合であっても、挿入口から装置本体の外部に漏れ出る光を抑制することができる。
【図面の簡単な説明】
【００２２】
【図１】本発明の一実施形態に係る光照射治療・予防装置の制御回路図
【図２】同実施形態に係る光照射治療・予防装置の外観図
【図３】同実施形態に係る光照射治療・予防装置の正面図
【図４】同実施形態に係る光照射治療・予防装置の断面図
【図５】（ａ）〜（ｃ）は、他の実施形態に係る光照射治療・予防装置の遮光幕の正面図
【図６】（ａ）〜（ｃ）は、他の実施形態に係る光照射治療・予防装置の遮光幕の正面図
【発明を実施するための形態】
【００２３】
本発明の実施形態に係る光照射装置について、光照射治療・予防装置を例に、図面を参酌しつつ、説明する。まず、同実施形態に係る光照射治療・予防装置について、図１〜図４を参酌しつつ説明する。同実施形態に係る光照射治療・予防装置１は、主に、炎症性疾患の罹患を予防し又は罹患時の当該疾患の症状を軽減する予防治療を受ける被治療者や、炎症性疾患を抑制することにより炎症性疾患の治療を受ける被治療者（患者）などの治療を受けるために当該装置を使用する使用者に光を照射する光照射装置の一例である。すなわち、この光照射装置は、被照射体として当該装置を使用する人を対象とし、当該装置が光を照射する照射部位を当該使用者の手先部位Ａ（図４参照、以下同様）とする例である。なお、使用者の「手先部位Ａ」とは、光照射治療・予防装置１が光を照射する使用者の部位を指す。手先部位Ａは、具体的には、指、爪、手の甲若しくは手のひら又はこれらの組み合わせをいう。
【００２４】
同実施形態に係る光照射治療・予防装置１は、図１に図示する光照射治療・予防装置の制御回路図に示されているように、使用者の手先部位Ａに対して光を照射する光源２と、手先部位Ａに光源２からの光を案内して照射する光照射部３と、光源２から放射される放射光のうち波長が特定の範囲内の放射光を透過させる波長透過手段４と、光源２の発光を制御する発光制御手段５と、光源２及び発光制御手段５に電気を供給する電源供給手段６と、光源２、光照射部３、波長透過手段４、発光制御手段５及び電源供給手段６を内部に収納するとともに手先部位Ａが内部に挿入される装置本体７（図２及び図４参照）と、該装置本体７の内部に手先部位Ａを挿入可能な挿入口８（図２〜図４参照）と、を備える。
【００２５】
光源２は、炎症性サイトカインの産生を抑制するために使用者の生体の予防したい手先部位Ａ又は罹患した手先部位Ａに照射する。光源２は、例えば、キセノン放電管やハロゲン放電管などの（閃光）放電管である。本実施形態では、この光源２をキセノン放電管とする例を説明する。
【００２６】
光照射部３は、図４に示すように、光源２から放射される放射光を手先部位Ａに向けて反射する反射部材９と、該反射部材９を反射した反射光を手先部位Ａに向けて案内する案内路１０と、該案内路１０によって案内された光を手先部位Ａに照射する照射面１１，１１と、を有する。
【００２７】
波長透過手段４は、光源２から放射された放射光の、１以上の特定の波長、又は、１以上の特定範囲の波長の放射光のみを透過する光学フィルタである。本実施形態に係る光学フィルタは、特定範囲の波長（帯）の放射光のみを選択的に透過するバンドパスフィルタ（干渉フィルタ）である。
【００２８】
発光制御手段５は、光源２の発光条件の設定を受け付けるとともに自己診断及びその自己診断結果に対応する機能を有する発光制御部と、その動作状態を表示する動作表示手段と、を備える。
【００２９】
発光制御部は、具体的には、光源２を１回又は複数回に分けて閃光発光させたり、所定の発光間隔で発光制御させたり、複数回に分けて閃光発光させる場合は、更に、光源２が放射する放射エネルギーを所定の放射エネルギー以下に抑えて閃光発光させるなどの様々な発光パターンで光源２を発光制御する。
【００３０】
動作表示手段は、照射可能状態を表示する照射状態表示用ＬＥＤや、故障が発生していることを報知して使用者に警告する警告用ＬＥＤ、次の照射可能状態になるまでの待ち時間を表示する待ち時間表示用ディスプレイ（７セグメントディスプレイ）などを備える。
【００３１】
電源供給手段６は、図１に示すように、光源２の発光エネルギーを蓄える蓄電手段１２と、該蓄電手段１２を充電する充電回路１３と、蓄電手段１２に電気を供給する電源部１４と、該電源部１４のオン・オフを切り替える電源スイッチ１５（図２も参照）と、を備える。
【００３２】
装置本体７は、図２及び図４に示すように、略直方体形状に形成されている。装置本体７は、光源２、光照射部３、波長透過手段４、発光制御手段５、電源供給手段６などを内蔵させるケーシングである。この装置本体７は、手先部位Ａを挿入口８に挿入可能に許容するとともに挿入口８から当該装置本体７の外部に光が漏れないように遮光する遮光幕１６と、挿入口８から手先部位Ａを挿入して、手先部位Ａに特定範囲の波長の光を照射するための台である載置部１７と、光源２等で高温となる内部を冷却するための冷却手段１８と、持ち運ぶために把持する取手１９と、を備える。
【００３３】
遮光幕１６は、図３に示すように、挿入口８を閉塞するように設けられる遮光幕本体２０と、該遮光幕本体２０の上端部を挿入口８に取り付ける取付部２１と、を備える。
【００３４】
遮光幕本体２０は、鉛直方向Ｌ１に所定の長さを有するとともに水平方向Ｌ２に所定の長さを有する挿入口８の面積以上の四角形状に形成される。また、遮光幕本体２０は、光の透過を遮断する布やビニール、ゴムなどの容易に変形する材料で製造されている。遮光幕本体２０は、手先部位Ａが挿入口８から装置本体７の内部に挿入されることを許容する挿入部２２と、手先部位Ａが装置本体７の内部に挿入されて照射される光を装置本体７の外部に漏れないように遮る遮光部２３と、を備える。
【００３５】
挿入部２２は、手先部位Ａ及び手首周辺部位Ｂを挿入可能な開口である。ここで、使用者の「手首周辺部位Ｂ」とは、挿入口８から光照射部３の内部に手先部位Ａを挿入した際に、挿入口８の内側と外側とに跨って位置する使用者の部位を指す。手首周辺部位Ｂは、具体的には、手の甲、手のひら、手首又は腕首、上椀又はこれらの組み合わせをいう。挿入部２２は、その開口の鉛直方向Ｌ１の上辺に遮光部２３の鉛直方向Ｌ１の上端部を連結させている。よって、挿入部２２は、遮光部２３の姿勢により、その開口を開閉自在に構成されている。
【００３６】
遮光部２３は、複数に分割されており、挿入部２２から挿入される手首周辺部位Ｂの上部Ｂ１に接触する第１の遮光部２４と、当該手首周辺部位Ｂの側部Ｂ２に接触する第２の遮光部２５，２５と、遮光幕本体２０の水平方向Ｌ２に第２の遮光部２５，２５と隣接するようにして配設される第３の遮光部２６，２６と、挿入部２２より外側の部分であり、挿入口８から手先部分Ａを装置本体７の内部に挿入する際に可動しない部分である第４の遮光部２７と、を有する。
【００３７】
遮光部２３は、複数に分割するために、切り込みが形成されている。この切り込みは、遮光幕本体２０の鉛直方向Ｌ１の中途部から遮光幕本体２０の鉛直方向Ｌ１の下端に達するように形成されている。更に、この切り込みは、遮光部２３に複数設けられている。本実施形態では、この切り込みは、６箇所設けられており、遮光幕本体２０の水平方向Ｌ２の中心部に対して対称となるように配置されている。
【００３８】
具体的には、遮光部２３は、遮光幕本体２０の鉛直方向Ｌ１の中途部Ｐ１，Ｐ１から遮光幕本体２０の鉛直方向Ｌ１の下端Ｐ２，Ｐ２に達するように形成される第１の切り込み２８，２８と、遮光幕本体２０の鉛直方向Ｌ１の中途部Ｐ３，Ｐ３から遮光幕本体２０の鉛直方向Ｌ１の下端Ｐ４，Ｐ４に達するように形成される第２の切り込み２９，２９と、遮光幕本体２０の鉛直方向Ｌ１の中途部Ｐ５，Ｐ５から遮光幕本体２０の鉛直方向Ｌ１の下端Ｐ６，Ｐ６に達するように形成される第３の切り込み３０，３０と、を備える。
【００３９】
第１の切り込み２８，２８は、第１の遮光部２４及び第２の遮光部２５を分割するために設けられる。第２の切り込み２９，２９は、第２の遮光部２５及び第３の遮光部２６を分割するために設けられる。また、第２の切り込み２９，２９は、第２の遮光部２５が遮光幕本体２０の水平方向Ｌ２において所定の幅を有するように、第１の切り込み２８，２８から所定の距離を空けて形成される。第３の切り込み３０，３０は、第３の遮光部２６及び第４の遮光部２７を分割するために設けられる。また、第３の切り込み３０，３０は、第３の遮光部２６，２６が遮光幕本体２０の水平方向Ｌ２において所定の幅を有するように、第２の切り込み２９，２９から所定の距離を空けて形成される。本実施形態に係る切り込み２８，２８，２９，２９，３０，３０は、同一の間隔で形成される。そして、遮光幕本体２０の鉛直方向Ｌ１の中途部Ｐ１，Ｐ１，Ｐ３，Ｐ３，Ｐ５，Ｐ５の鉛直方向Ｌ１の位置は、遮光幕本体２０の鉛直方向Ｌ１の長さが同一となる位置に形成されている。
【００４０】
第１の遮光部２４は、第１の切り込み２８が形成されることにより、第１の縁部３１と第２の縁部３２とが形成される。第１の縁部３１は、遮光幕本体２０の鉛直方向Ｌ１の中途部Ｐ１から下方に向かうにつれて第１の遮光部２４の水平方向Ｌ２における中心部から離れるように形成される。つまり、第１の縁部３１は、遮光幕本体２０の鉛直方向Ｌ１の中途部Ｐ１から下方に向かうにつれて第１の遮光部２４の水平方向Ｌ２の中心から遠ざかる外側方向Ｌ３に連続して形成されている。第２の縁部３２は、遮光幕本体２０の鉛直方向Ｌ１の下端Ｐ２から第１の縁部３１の遮光幕本体２０の鉛直方向Ｌ１の端部Ｐ７に繋がるように形成されるとともに、第１の縁部３１の当該端部Ｐ７から下方に向かうにつれて第１の遮光部２４の水平方向Ｌ２における中心部に近づくように形成される。つまり、第２の縁部３２は、第１の縁部３１の端部Ｐ７から下方に向かうにつれて第１の遮光部２４の水平方向Ｌ２の中心に近づく内側方向Ｌ４に連続して形成されている。更に、遮光幕本体２０の鉛直方向Ｌ１の下端には、第３の縁部３３が形成される。
【００４１】
第１の縁部３１，３１及び第２の縁部３２，３２は、略円弧状に形成されている。特に、第１の縁部３１，３１及び第２の縁部３２，３２の形状は、手首周辺部位Ｂの外形に沿う形状であることが好ましい。第３の縁部３３は、挿入口８の下方の縁と接触するような位置に位置する。
【００４２】
第２の遮光部２５は、第１の切り込み２８が形成されることにより、第１の縁部３４と第２の縁部３５とが形成される。第１の縁部３４は、遮光幕本体２０の鉛直方向Ｌ１の中途部Ｐ１から下方に向かうにつれて第１の遮光部２４の水平方向Ｌ２における中心部から離れるように形成される。第２の縁部３５は、遮光幕本体２０の鉛直方向Ｌ１の下端Ｐ２から第１の縁部３４の遮光幕本体２０の鉛直方向Ｌ１の端部Ｐ７に繋がるように形成されるとともに、第１の縁部３４の当該端部Ｐ７から下方に向かうにつれて第１の遮光部２４の水平方向Ｌ２における中心部に近づくように形成される。
【００４３】
また、第２の遮光部２５は、第２の切り込み２９が形成されることにより、第３の縁部３６と第４の縁部３７とが形成される。第３の縁部３６は、遮光幕本体２０の鉛直方向Ｌ１の中途部Ｐ３から下方に向かうにつれて第１の遮光部２４の水平方向Ｌ２における中心部から離れるように形成される。第４の縁部３７は、遮光幕本体２０の鉛直方向Ｌ１の下端Ｐ４から第３の縁部３６の遮光幕本体２０の鉛直方向Ｌ１の端部Ｐ８に繋がるように形成されるとともに、第３の縁部３６の当該端部Ｐ８から下方に向かうにつれて第１の遮光部２４の水平方向Ｌ２における中心部に近づくように形成される。
【００４４】
更に、遮光幕本体２０の鉛直方向Ｌ１の下端には、第５の縁部３８が形成される。第５の縁部３８は、挿入口８の下方の縁と接触するような位置に位置する。
【００４５】
第３の遮光部２６は、第２の切り込み２９が形成されることにより、第１の縁部３９と、第２の縁部４０とが形成される。第１の縁部３９は、遮光幕本体２０の鉛直方向Ｌ１の中途部Ｐ３から下方に向かうにつれて第１の遮光部２４の水平方向Ｌ２における中心部から離れるように形成される。第２の縁部４０は、遮光幕本体２０の鉛直方向Ｌ１の下端Ｐ４から第１の縁部３９の遮光幕本体２０の鉛直方向Ｌ１の端部Ｐ８に繋がるように形成されるとともに、第１の縁部３９の当該端部Ｐ８から下方に向かうにつれて第１の遮光部２４の水平方向Ｌ２における中心部に近づくように形成される。
【００４６】
また、第３の遮光部２６は、第３の切り込み３０が形成されることにより、第３の縁部４１と、第４の縁部４２とが形成される。第３の縁部４１は、遮光幕本体２０の鉛直方向Ｌ１の中途部Ｐ５から下方に向かうにつれて第１の遮光部２４の水平方向Ｌ２における中心部から離れるように形成される。第４の縁部４２は、遮光幕本体２０の鉛直方向Ｌ１の下端Ｐ６から第３の縁部４１の遮光幕本体２０の鉛直方向Ｌ１の端部Ｐ９に繋がるように形成されるとともに、第３の縁部４１の当該端部Ｐ９から下方に向かうにつれて第１の遮光部２４の水平方向Ｌ２における中心部に近づくように形成される。
【００４７】
更に、遮光幕本体２０の鉛直方向Ｌ１の下端には、第５の縁部４３が形成される。第５の縁部４３は、挿入口８の下方の縁と接触するような位置に位置する。
【００４８】
取付部２１は、遮光幕本体２０の上端部に設けられ、挿入口８の上側の端部に固定するために設けられる。本実施形態に係る取付部２１は、装置本体の内側であって、挿入口８の上側直近に取り付けられている。よって、遮光幕本体２０は、挿入口８の上端に吊り下げられた状態で取り付けられる。挿入口８の下端及び左右の側端と遮光幕本体２０とは、固定されておらず、離間可能に構成されている。
【００４９】
なお、遮光部２４，２５，２５，２６，２６は、切り込み２８，２８，２９，２９，３０，３０の遮光幕本体２０の鉛直方向Ｌ１の中途部Ｐ１，Ｐ１，Ｐ３，Ｐ３，Ｐ５，Ｐ５の鉛直方向Ｌ１の位置が同一となっているため、遮光幕本体２０の鉛直方向Ｌ１の長さが同じに形成されている。
【００５０】
載置部１７は、挿入口８から挿入された使用者の手の位置を位置決めするためのガイド４４と、使用者の手先部位Ａが所定の位置に配置され、照射可能な状態になっていることを検出する自動開始用センサ４５と、を備える。
【００５１】
ガイド４４は、各指を挿入可能な間隔を空けて並列に複数配置される。自動開始用センサ４５は、具体的には赤外線ＬＥＤと赤外フォトトランジスタとを有し、赤外線ＬＥＤから発光された光を赤外線フォトトランジスタで受光し、所定時間（例えば、２秒以上）その受光を遮ることにより感知する。すなわち、自動開始用センサ４５は、使用者が挿入した手によって赤外線ＬＥＤと赤外線フォトトランジスタとの間の光が遮断されることにより、手が挿入されたことを検出する。発光を終了して、再び、赤外線ＬＥＤから照射された光を赤外線フォトトランジスタが検出するまで、発光が開始されない。
【００５２】
冷却手段１８は、冷却ファン（図示せず）で熱源を冷却し、装置本体７の後部（上面後端）に設けられた排気口から高温の空気を排気する。なお、冷却手段１８は、空冷方式に限定されるものではなく、その用途又は冷却容量などによって水冷方式としてもよい。
【００５３】
挿入口８は、光照射部１２に手先部位Ａを挿入することができる大きさを有する。挿入口８は、実施形態では、鉛直方向Ｌ１に所定長さを有し且つ水平方向に所定の長さを有する長方形状に形成されている。使用者は、手先部位Ａである、手の甲を上方に向け、手のひらを下方に向けた状態で挿入口８から挿入する。よって、挿入部８の鉛直方向Ｌ１の長さは、一般的な使用者の手又は腕の厚さ以上有している。挿入部８の水平方向の長さは、一般的な使用者の手の幅（親指から小指までの長さ）以上有している。
【００５４】
次に、本発明の実施形態に係る光照射治療・予防装置１において、挿入口８から手先部位Ａを挿入するときの遮光幕１６の動作について説明する。
【００５５】
まず、図３及び図４に示すように、挿入口８から装置本体７の内部に手先部位Ａが挿入されるとき、手先部位Ａは、遮光幕本体２０の挿入部２２から装置本体７の内部に挿入される。そして、挿入口８では、手首周辺部位Ｂが遮光幕本体２０の挿入部２２に跨った状態にある。遮光幕本体２０の挿入部２２と手首周辺部位Ｂの上部Ｂ１との間は、第１の遮光部２４が手首周辺部位Ｂの上部Ｂ１と接触することにより塞がれている。遮光幕本体２０の挿入部２２と手首周辺部位Ｂの側部Ｂ２との間は、第２の遮光部２５が手首周辺部位Ｂの側部Ｂ２と接触することにより塞がれている。すなわち、挿入口８は、手首周辺部位Ｂと遮光幕１６とによって塞がれており、装置本体７の内部で照射された光が装置本体７の外部に漏れ出るのを抑制することができる。
【００５６】
また、遮光幕１６は、第２の遮光部２５の第１の縁部３４が手首周辺部位Ｂの上面Ｂ１と側面Ｂ２との間の形状に沿って接触することにより、挿入口８と手首周辺部位Ｂの上面Ｂ１及び側面Ｂ２との間に形成される隙間もより確実に塞ぐことができる。
【００５７】
また、遮光幕１６は、第２の遮光部２５の第２の縁部３５が手首周辺部位Ｂの下面Ｂ３と側面Ｂ２との間の形状に沿って接触することにより、挿入口８と手首周辺部位Ｂの下面Ｂ３及び側面Ｂ２との間に形成される隙間もより確実に塞ぐことができる。
【００５８】
また、遮光幕１６は、遮光幕本体２０の水平方向Ｌ２における使用者の手首周辺部位Ｂの長さに応じて、第２の遮光部２５及び第３の遮光部２６のいずれか一方を手首周辺部位Ｂの側部Ｂ２に接触させることができる。例えば、手首周辺部位Ｂの幅が狭い使用者が挿入口８に挿入する場合は、手首周辺部位Ｂの側面Ｂ２は、第２の遮光部２５の第１の縁部３４及び第２の縁部３５とに接触することにより、第２の遮光部２５との隙間が塞がれる。このとき、手首周辺部位Ｂの上面Ｂ１は、当該手首周辺部位Ｂに引きずられて装置本体７の内部に巻き込まれた第１の遮光部２４と接触していることにより、第１の遮光部２４との隙間が塞がれる。手首周辺部位Ｂの幅が広い使用者が挿入口８に挿入する場合は、手首周辺部位Ｂの側面Ｂ２は、第３の遮光部２６の第１の縁部３９及び第２の縁部４０とに接触することにより、手首周辺部位Ｂの側面Ｂ２と第３の遮光部２６との間が塞がれる。このとき、手首周辺部位Ｂの上面Ｂ１は、当該手首周辺部位Ｂに引きずられて装置本体７の内部に巻き込まれた第１の遮光部２４及び第２の遮光部２５と接触していることにより、第１の遮光部２４及び第２の遮光部２５との隙間が塞がれる。すなわち、遮光幕１６は、遮光幕本体２０の水平方向Ｌ２における使用者の手首周辺部位Ｂの長さに関係なく、挿入口８と手首周辺部位Ｂとの隙間を塞ぐことができる。
【００５９】
なお、本発明に係る遮光幕及び光照射装置は、上記実施形態に限定されるものではなく、本発明の要旨を逸脱しない範囲内において種々変更を加え得ることは勿論である。
【００６０】
本実施形態に係る遮光幕１６は、切り込み２８，２８，２９，２９，３０，３０が円弧状に形成される例を説明したが、これに限定されるものではない。例えば、切り込みは、図５（ａ）に示すように、直線状に形成された切り込み４６，…であってもよい。
【００６１】
本実施形態に係る遮光幕１６は、切り込み２８，２８，２９，２９，３０，３０が形成されることにより、遮光部２４，２５，２５，２６，２６に「第１の縁部３１」と「第２の縁部３２，３２」、又は、「第１の縁部３４，３９及び第３の縁部３６，４１」と「第２の縁部３５，４０及び第４の縁部３７，４２」とを備える例を説明したが、これに限定されるものではない。例えば、第１の縁部は、遮光幕本体の鉛直方向Ｌ１の中途部から下方に向かうにつれて第１の遮光部の水平方向における中心部から離れるように、遮光幕本体の鉛直方向Ｌ１の中途部から下端まで形成されていてもよい。また、第２の縁部は、遮光幕本体の鉛直方向Ｌ１の下端から第１の縁部の遮光幕本体の鉛直方向Ｌ１の端部に繋がるように形成されるとともに、第１の縁部の鉛直方向Ｌ１の当該端部から鉛直方向Ｌ１の下方に直線状に形成されていてもよい。
【００６２】
本実施形態に係る遮光幕１６は、第２の遮光部２５の第１の縁部３４と第２の縁部３５との長さの和と、第３の縁部３６と第４の縁部３７との長さの和と、が同じとなるように形成される例を説明したが、これに限定されるものではない。例えば、第２の遮光部は、第１の縁部と第２の縁部との長さの和と、第３の縁部と第４の縁部との長さの和と、が異なるように形成されることが好ましい。具体的には、図５（ｂ）に示すように、第２の遮光部４７（又は第３の遮光部４８）は、第１の縁部４９と第２の縁部５０との長さの和より、第３の縁部５１と第４の縁部５２との長さの和の方が長くなるように形成されていてもよい。また、図５（ｃ）に示すように、第２の遮光部５３（又は第３の遮光部５４）は、第１の縁部５５と第２の縁部５６との長さの和より、第３の縁部５７と第４の縁部５８との長さの和の方が短くなるように形成されていてもよい。このように構成することにより、遮光幕は、遮光幕本体の鉛直方向における使用者の手首周辺部位の長さに応じて、「第１の縁部及び第２の縁部」、又は、「第３の縁部と第４の縁部」を手首周辺部位の側部に接触させることができる。すなわち、遮光幕は、遮光幕本体の鉛直方向における使用者の手首周辺部位の長さに関係なく、挿入口と手首周辺部位との隙間を塞ぐことができる。
【００６３】
本実施形態に係る遮光幕１６は、第２の遮光部２５，２５の水平方向Ｌ２における幅と、第３の遮光部２６，２６の水平方向Ｌ２における幅と、が同じである例を説明したが、これに限定されるものではない。例えば、第２の遮光部の水平方向における幅と、第３の遮光部の水平方向における幅と、が異なるように構成してもよい。具体的には、図６（ａ）に示すように、第２の遮光部５９の水平方向Ｌ２における幅は、第３の遮光部６０の水平方向Ｌ２における幅より狭く形成されていてもよいし、図６（ｂ）に示すように、第２の遮光部６１の水平方向Ｌ２における幅は、第３の遮光部６２の水平方向Ｌ２における幅より広く形成されていてもよい。
【００６４】
本実施形態に係る遮光幕１６は、遮光幕本体２０の形状が長方形状である例を説明したが、これに限定されるものではない。例えば、図６（ｃ）に示すように、遮光幕本体６３は、水平方向Ｌ２における遮光幕本体６３の端部６４から水平方向Ｌ２における遮光幕本体６３の中心に向かうにつれて、鉛直方向Ｌ１における遮光幕本体６３の長さが短くなるように形成されていてもよい。このように構成されることにより、遮光幕は、第１の遮光部が装置本体の内部に巻き込まれることにより装置本体の外側から内側に向かって使用者の手首周辺部位の上面と接触する長さを短くすることができる。よって、第１の遮光部は、装置本体の内部に巻き込まれて、手先部位を覆い、手先部位に照射される光を遮りにくくすることができる。
【００６５】
本実施形態に係る遮光幕１６は、遮光幕本体２０の全体が遮光性を有する例を説明したが、これに限定されるものではない。例えば、遮光幕は、第１の遮光部の下端部にフィルムなどの光透過性を有する材質の部分を有していてもよい。この遮光幕は、挿入口から使用者の手先部位Ａを装置本体の内部に挿入した際に、第１の遮光部が装置本体の内部に巻き込まれてその第１の遮光部の下端側が手先部位Ａを覆うことがあっても、手先部位Ａへの照射の妨げとならないようにすることができる。
【００６６】
本実施形態に係る遮光幕１６は、１枚の遮光幕本体２０が挿入口８全体を覆う例を説明したが、これに限定されるものではない。例えば、遮光幕は、２枚の遮光幕本体を二重にしたものであってもよい。この場合、遮光幕本体は、複数の遮光部に分割すべく形成される切り込みの遮光幕本体の水平方向の位置が異なるように形成してもよい。すなわち、装置本体の表側に位置する遮光幕本体の切り込みと、装置本体の裏側に位置する遮光幕本体の切り込みとがずれて形成され、表側の遮光幕本体の遮光部と裏側の遮光幕本体の遮光部とが互い違いとなるように形成してもよい。この遮光幕は、一方の遮光幕本体の遮光部間に隙間が空いた場合であっても、他方の遮光幕本体の遮光部でその隙間を塞ぐことができ、装置本体の内部で照射される光が漏れにくくすることができる。
【００６７】
本実施形態に係る遮光幕１６は、挿入口８の上端部の装置本体７に取付部２１で装着される例を説明したが、これに限定されるものではない。例えば、取付部は、装置本体に対して着脱自在に取り付けられるものであってもよい。すなわち、取付部は、装置本体にフック面が設けられ、遮光幕本体の上端部にループ面が設けられる面ファスナーであってもよいし、装置本体に遮光幕本体を吊るためのフックなどの吊具が複数箇所に設けられ、遮光幕本体の上端（部）に該吊具を挿通可能な係止孔が設けられる係止手段であってもよい。このように構成される遮光幕は、必要に応じて挿入口から取り外すことができ、光照射装置を使用する使用者に合わせて選択することができる。
【００６８】
本実施形態に係る遮光幕１６は、遮光部２３が５つに分割される例を説明したが、これに限定されるものではない。例えば、遮光部は、３つに分割されてもよいし、５つ以上に分割されてもよい。
【００６９】
本実施形態に係る遮光幕１６は、使用者の手先部位Ａを装置本体７に挿入し、手首周辺部位Ｂが挿入口８に跨って装置本体７の外部に出ている状態で当該手先部位Ａに光を照射する例を説明したが、これに限定されるものではない。例えば、照射部位は、手先部位Ａに限らず、足、頭部などであってもよく、照射部位を装置本体に挿入し、挿入口に跨って位置する非照射部位は、足首や首などであってもよい。
【産業上の利用可能性】
【００７０】
本発明に係る放電管及び光照射装置は、光源と、被照射体の照射部位に該光源からの光を案内して照射する光照射部と、光源と光照射部とを内部に収納するとともに照射部位が内部に挿入される装置本体と、該装置本体の内部に照射部位を挿入可能な挿入口と、を備える光照射装置から照射される光を挿入口から装置本体の外部に漏れるのを遮るための遮光幕であって、照射部位が挿入口から装置本体の内部に挿入されることを許容する挿入部と、照射部位が装置本体の内部に挿入されて照射される光を装置本体の外部に漏れないように遮る遮光部と、を有する遮光幕本体を備え、遮光部は、複数に分割されており、照射部位が挿入部から装置本体の内部に挿入されたときに挿入部に位置する被照射体の非照射部位の上部に接触する第１の遮光部と、当該非照射部位の側部に接触する第２の遮光部と、を有することによって、被照射体の照射部位を装置本体に挿入し、非照射部位が挿入口に跨って装置本体の外部に出ている状態で当該照射部位に光を照射する場合であっても、挿入口から装置本体の外部に漏れ出る光を抑制することが必要な用途にも適用することができる。
【符号の説明】
【００７１】
１６  遮光幕
２０  遮光幕本体
２１  取付部
２２  挿入部
２３  遮光部
２４  第１の遮光部
２５  第２の遮光部
２６  第３の遮光部
２７  第４の遮光部
２８  第１の切り込み
２９  第２の切り込み
３０  第３の切り込み
３１  第１の縁部
３２  第２の縁部
３３  第３の縁部
３４  第１の縁部
３５  第２の縁部
３６  第３の縁部
３７  第４の縁部
３８  第５の縁部
３９  第１の縁部
４０  第２の縁部
４１  第３の縁部
４２  第４の縁部
４３  第５の縁部
【図１】
2013034752.tif 000003
【図２】
2013034752.tif 000004
【図３】
2013034752.tif 000005
【図４】
2013034752.tif 000006
【図５】
2013034752.tif 000007
【図６】
2013034752.tif 000008